(57)【要約】【課題】  高出力ランプを使用しなくても点灯時の照度が低くならないようにする。【構成】  照明器具は、屋内の天井Ａ等に取り付けられる埋め込み型のもので、器具本体１０と、器具本体１０の中心部に配設されたランプ３０とを有し、器具本体１０のランプ前方に位置する周縁部分１２１に蓄光塗料４０が塗布されている。そのため、消灯後に光って適度な照度を得ることができる。また、器具本体１０の周縁部分１２１については、ランプ３０から出力された光の反射に大きな影響を及ぼさない部分であることから、高出力ランプを使用しなくても点灯時の照度が低くならない。【選択図】  図４
2005294050.tif 000002
【特許請求の範囲】
【請求項１】
ランプとは異なる別部品のランプ前方に位置する部分に蓄光塗料が塗布されていることを特徴とする照明器具。
【請求項２】
反射板の奥側中心位置にランプが配置された請求項１記載の照明器具において、反射板の前方周縁部分に蓄光塗料が塗布されていることを特徴とする照明器具。
【発明の詳細な説明】
【技術分野】
【０００１】
本発明は光源からの光が照射される部位に蓄光塗料が施されて消灯後も適度な照度を得ることが可能な照明器具に関する。
【背景技術】
【０００２】
この種の照明器具の従来例として、蓄光塗料を施こした箇所が半透明カバーであるもの( これを第１の従来例とする。例えば、特許文献１等参照) 、反射板であるもの( これを第２の従来例とする。例えば、特許文献２等参照) がある。
【特許文献１】実開平４−８２１１号公報
【特許文献２】特開２００１−７４９２３号公報
【発明の開示】
【発明が解決しようとする課題】
【０００３】
しかしながら、第１の従来例による場合、光源が半透明カバーで覆われていることから、点灯時の照度が低くなるという欠点がある。一方、第２の従来例による場合、蓄光塗料が反射板の表面全体に施されていることから、その反射効果が極端に低下し、点灯時の照度が同様に低くなるという欠点がある。このような欠点はいずれも高出力ランプを使用することにより是正されるものの、これに伴ってコスト高になるのは明らかである。
【０００４】
本発明は上記した背景の下で創作されたものであって、その目的とするところは、高出力ランプを使用しなくても点灯時の照度が低くならないようにした照明器具を提供することにある。
【課題を解決するための手段】
【０００５】
本発明の照明器具はランプとは異なる別部品のランプ前方に位置する部分に蓄光塗料が塗布されている。例えば、反射板の奥側中心位置にランプが配置された照明器具の場合、反射板の前方周縁部分に蓄光塗料を塗布するようにすると良い。
【発明の効果】
【０００６】
本発明の請求項１に係る照明器具による場合、ランプとは異なる別部品のランプ前方に位置する部分に蓄光塗料が塗布された構成となっているで、その部分が消灯後に光って適度な照度を得ることができ、消灯後や停電時の安全性を高めることができる。また、蓄光塗料が塗布された部分がランプ前方位置であることから、反射板の反射効果に大きな影響を及ぼさない。即ち、高出力ランプを使用しなくても点灯時の照度が低くならず、低コスト化を図る上で大きなメリットがある。
【０００７】
本発明の請求項２に係る照明器具による場合、反射板の前方周縁部分に蓄光塗料を塗布された構成となっているので、請求項１の効果に加えて、次のような効果がある。即ち、反射板の前方周縁部分については、人目に触れる部分でデザイン化されていることが多く、その部分がランプに遮られることなく消灯後にそのままの形状で光って強調されることから、この点での商品価値も高まる。
【発明を実施するための最良の形態】
【０００８】
以下、本発明の第１の実施の形態を図面を参照して説明する。図１は第１の実施の形態に係る照明器具の側面図、図２は同器具の正面図、図３は同器具の背面図、図４は同器具の斜視図である。
【０００９】
ここに掲げる照明器具は屋内の天井Ａ等に取り付けられる埋め込み型のもので、円筒状の器具本体１０と、器具本体１０内の中心部に配設されたランプ３０とを有した基本構成となっている。同器具において最も特徴的であるのは、器具本体１０のランプ前方に位置する周縁部分１２１に蓄光塗料４０が塗布されている点である。以下、各部を詳細に検討する。
【００１０】
器具本体１０については、ここでは有底円筒状の金属製のものを用いており、ランプ３０の反射板も兼ねている。これは、円筒部１２と、円筒部１２の前方に位置する環状のフランジ部１１と、円筒部１２の後方に位置する円板状の支持板１３と、円筒部１２の外面にネジ止めされた板バネである一対の取付バネ１４とを有した構造となっている。
【００１１】
円筒部１２の前方部分には図４に示すように複数の段差が形成されており、その前方の平らな部分（周縁部分１２１）に蓄光塗料４０が塗布されている。支持板１２には連結送り端子付きソケット５０がネジ止めされている。支持板１２の面上には図示されていないが、ソケット５０のランプ接続金具を露出させるための開口が形成されている。
【００１２】
ランプ３０については、ここでは白熱電球を用いており、上記したソケット５０のランプ接続金具に着脱可能になっている。ソケット５０に取り付けられた状態のランプ３０は、器具本体１０の奥側中心であり且つ器具本体１０の周縁部分１２１の奥側に位置するようになっている。
【００１３】
このように構成された照明器具は、図１に示すように天井Ａに形成された埋込穴αに挿入されると、取付バネ１４の先端部分が天井Ａの裏側に当接し、これで天井Ａに取り付けられるようになっている。そして、器具本体１０の周縁部分１２１に蓄光塗料４０が塗布されていることから、その部分が消灯後に光って適度な照度を得ることができ、消灯後や停電時の安全性を高めることが可能になる。
【００１４】
また、器具本体１０の周縁部分１２１については、ランプ３０から出力された光の反射に大きな影響を及ぼさない部分であることから、高出力ランプを使用しなくても点灯時の照度が低くならず、低コスト化を図る上で大きなメリットがある。
【００１５】
さらに、蓄光塗料４０から出力された光がランプ３０に遮られないことから、周縁部分１２１の輪状の形がそのまま天井Ａに浮かび上がって見えることになり、インテリア性が損なわれず、この点での商品価値も高まることになる。
【００１６】
次に、本発明の第２の実施の形態を図面を参照して説明する。図５は第２の実施の形態に係る照明器具の側面図、図６は同器具の一部省略正面図、図７は同器具の一部省略背面図、図８は同器具の斜視図である。
【００１７】
ここに掲げる照明器具は、第１の実施形態と同様に屋内の天井Ａ等に取り付けられる埋め込み型のものであるが、器具本体と反射板とが別体になったタイプである。
【００１８】
即ち、円筒状の器具本体１０’と、器具本体１０’内の中心部に配設された反射板２０と、反射板２０の奥側中心位置に配設されたランプ３０’とを有した基本構成となっている。同器具において最も特徴的であるのは、反射板２０の前方周縁部分（環状縁部２１）に蓄光塗料４０が塗布されている点である。以下、第１の実施形態と共通する部分もあるが、各部を詳細に説明する。
【００１９】
器具本体１０’については、図８に示すように環状のフランジ部１１’と、円板状の支持板１３’と、支持板１３’とフランジ部１１’との間を連結する長方形の連結片１２’と、連結片１２’の外面にネジ止めされた板バネである一対の取付バネ１４’とを有した基本構造のものを用いている。支持板１２’の外面にはソケット５０’がネジ止めされている一方、内面には板バネであるランプ取付バネ１５’等がネジ止めされている。支持板１２’の面上には、図示されていないが、ソケット５０' のランプ接続金具を露出させるための開口が形成されている。
【００２０】
反射板２０については、ランプ３０から出た光を前方向に向けて反射させるカップ部２２と、カップ部２２の前方に位置する環状縁部２１と、カップ部２２の後方に位置する円筒部２３とを有した基本構造のものを用いている。カップ部２２の内面にはランプ３０’から出た光を乱反射させるために多数のディンプルが形成されている。カップ部２２の奥側中心位置にはランプ３０’を挿入するための穴（図示せず）が形成されており、円筒部２３に連通している。環状縁部２１はカップ部２２とは異なり平らな湾曲面となっており、この部分に蓄光塗料４０が塗布されている。
【００２１】
このような反射板２０がランプ取付バネ１５’を用いて器具本体１０’に取り付けられる。この状態で反射板２０の環状縁部２１の端部が器具本体１０’のフランジ部１１’に位置合わせされる。ここでは反射板２０として、カップ部２２と環状縁部２１とが一体成型されているタイプのものを用いたが、カップ部と環状縁部とが分離されているタイプのものを用いてもかまわない。
【００２２】
ランプ３０’については、ここではＨＩＤランプを用いており、上記したソケット５０’のランプ接続金具に着脱可能になっている。ソケット５０’に取り付けられた状態のランプ３０’は、反射板２０の奥側中心であり且つ環状縁部２１の奥側に位置するようになっている。なお、ソケット５０’に関しては連結端子を兼ねていないことから、支持板１３’の上面に連結端子５１’が別途取り付けられている。
【００２３】
このように構成された照明器具は、図５に示すように天井Ａに形成された埋込穴αに挿入されると、取付バネ１４’の先端部分が天井Ａの裏側に当接し、これで天井Ａに取り付けられるようになっている。そして、反射板２０の環状縁部２１に蓄光塗料４０が塗布された構成となっていることから、第１の実施の形態と全く同様の効果を奏する。
【００２４】
なお、本発明に係る照明器具は天井埋込型だけの適用に止まらないのは勿論、スポットライト型等にも同様に適用可能であり、ランプとは異なる別部品のランプ前方に位置する部分に蓄光塗料が塗布された構成である限り、反射板及び器具本体の形状、構造、ランプの種類等に関して特に限定されることはない。
【図面の簡単な説明】
【００２５】
【図１】本発明の第１の実施の形態を説明するための図であって、照明器具の側面図である。
【図２】同器具の正面図である。
【図３】同器具の背面図である。
【図４】同器具の斜視図である。
【図５】本発明の第２の実施の形態を説明するための図であって、照明器具の側面図である。
【図６】同器具の一部省略正面図である。
【図７】同器具の一部省略背面図である。
【図８】同器具の斜視図である。
【符号の説明】
【００２６】
１０  器具本体
２０  反射板
３０  ランプ
４０  蓄光塗料
【図１】
2005294050.tif 000003
【図２】
2005294050.tif 000004
【図３】
2005294050.tif 000005
【図４】
2005294050.tif 000006
【図５】
2005294050.tif 000007
【図６】
2005294050.tif 000008
【図７】
2005294050.tif 000009
【図８】
2005294050.tif 000010